(57)【要約】      （修正有）【課題】伝送データの周波数帯域が高周波数帯域でも伝送特性が劣化する虞がないホストコネクタを提供する。【解決手段】モジュールのプラグコネクタが着脱可能に挿入されるスロットを有するコネクタインシュレータ内に配されプラグコネクタの接続端部の一方のコンタクトパッドに当接する複数のコンタクト端子からなる第１のコンタクト端子群と一方のコンタクトパッドに向き合う他方のコンタクトパッドに当接する第２のコンタクト端子群とを含み、第１のコンタクト端子群は複数のグランド用サブコンタクト端子１８Ｇｉとグランド用サブコンタクト端子を支持するグランド用メインコンタクト端子１８ＣＢｉと複数の信号用コンタクト端子１８ａｉとから構成され、互いに同一形状のグランド用メインコンタクト端子の接点部と信号用コンタクト端子の接点部が共通の直線上に配されかつ複数の信号用コンタクト端子がグランド用メインコンタクト端子相互間に配置される。【選択図】図１
2020187844.tif 000002
【特許請求の範囲】
【請求項１】
モジュールの接続端部が着脱可能に挿入されるスロットを有するコネクタインシュレータと、
前記コネクタインシュレータ内に配され前記接続端部のコンタクトパッドにそれぞれ当接される複数のコンタクト端子からなるコンタクト端子群と、を備え、
前記コンタクト端子群は、複数のグランド用サブコンタクト端子と、該グランド用サブコンタクト端子の端部を支持するグランド用メインコンタクト端子と、グランド用メインコンタクト端子と互いに同一形状の複数の信号用コンタクト端子とから構成され、前記グランド用メインコンタクト端子の接点部と前記信号用コンタクト端子の接点部とが前記コンタクト端子配列方向に沿った共通の直線上に配されており、かつ、前記複数の信号用コンタクト端子が前記グランド用メインコンタクト端子相互間に配置されることを特徴とするホストコネクタ。
【請求項２】
モジュールの接続端部が着脱可能に挿入されるスロットを有するコネクタインシュレータと、
前記コネクタインシュレータ内に配され前記接続端部の一方のコンタクトパッドにそれぞれ当接される複数のコンタクト端子からなる第１のコンタクト端子群と、前記接続端部の一方のコンタクトパッドに向き合う他方のコンタクトパッドにそれぞれ当接される複数のコンタクト端子からなる第２のコンタクト端子群と、を備え、
前記第１のコンタクト端子群は、複数のグランド用サブコンタクト端子と、該グランド用サブコンタクト端子の端部を支持するグランド用メインコンタクト端子と、グランド用メインコンタクト端子と互いに同一形状の複数の信号用コンタクト端子とから構成され、前記グランド用メインコンタクト端子の接点部と前記信号用コンタクト端子の接点部とが前記コンタクト端子配列方向に沿った共通の直線上に配されており、かつ、前記複数の信号用コンタクト端子が前記グランド用メインコンタクト端子相互間に配置されることを特徴とするホストコネクタ。
【請求項３】
前記第１のコンタクト端子群を構成する少なくとも１つの前記信号用コンタクト端子を通じて伝送される信号の周波数は、前記第２のコンタクト端子群を構成する信号用コンタクト端子を通じて伝送される信号の周波数に比して高いことを特徴とする請求項２記載のホストコネクタ。
【請求項４】
前記グランド用サブコンタクト端子の端部は、前記グランド用メインコンタクト端子の可動片部の端部の上面に重なるように接合されることを特徴とする請求項２記載のホストコネクタ。
【請求項５】
前記グランド用サブコンタクト端子の接点部の位置は、前記グランド用メインコンタクト端子の接点部の位置に比して前記コネクタインシュレータのスロットに近い位置に設定されることを特徴とする請求項２記載のホストコネクタ。
【請求項６】
同一のコンタクトパッドに当接される前記グランド用サブコンタクト端子の接点部と前記グランド用サブコンタクト端子の接点部との相互中心間距離は、約１．１ｍｍ以上１．５ｍｍ以下の範囲に設定されていることを特徴とする請求項５記載のホストコネクタ。
【請求項７】
配線基板に配され、モジュール基板を含んで構成されるモジュールを着脱可能に収容するモジュール収容部を形成し該モジュールを案内する案内部材と、
前記モジュール収容部に隣接して前記配線基板に配され、請求項１または請求項２記載のホストコネクタと、
前記ホストコネクタを覆うコネクタカバーと、
を具備して構成されるリセプタクルアセンブリー。
【発明の詳細な説明】
【技術分野】
【０００１】
本発明は、ホストコネクタ、および、それを備えるリセプタクルアセンブリーに関する。
【背景技術】
【０００２】
光通信システムにおいては、光コネクタ等により伝送される光信号をマザーボードに伝送するためにトランシーバモジュールアセンブリーが実用に供されている。トランシーバモジュールアセンブリーは、例えば、特許文献１に示されるように、モジュールと、そのモジュールが着脱可能に装着されるリセプタクルアセンブリーとを含んで構成されている。
【０００３】
リセプタクルアセンブリーは、モジュールの着脱のとき、モジュールを案内するブラケットと、ブラケットを介してモジュールを着脱可能に収容するモジュール収容部を形成する一対のガイドレール部材と、モジュールから発生した熱を放熱するヒートシンクユニットと、装着されたモジュールのプラグコネクタのコンタクトパッドとプリント配線基板の導体パターンとを電気的に接続するホストコネクタと、ホストコネクタを覆うコネクタカバーと、を主な要素として含んで構成されている（特許文献１における図４参照）。
【０００４】
図１４Ａおよび図１４Ｂに示されるように、上述のホストコネクタ４は、モジュールのプラグコネクタが着脱可能に挿入されるスロット４Ａを有するコネクタインシュレータ４Ｂと、プラグコネクタの接続端部の一方のコンタクトパッドに当接される第１のコンタクト端子群と、プラグコネクタの接続端部の一方のコンタクトパッドに向き合う他方のコンタクトパッドに当接される第２のコンタクト端子群と、を含んで構成されている。第１のコンタクト端子群および第２のコンタクト端子群は、それぞれ、モジュールのプラグコネクタを、リセプタクルアセンブリーが配置されるプリント配線基板の導体パターンに接続される電極群に電気的に接続するものとされる。例えば、樹脂材料で成形されるコネクタインシュレータのスロット４Ａの周縁には、所定の間隔で長手方向に沿って形成される複数のスリットが形成されているプラグコネクタの接続端部収容部が備えられている。
【０００５】
第１のコンタクト端子群は、コネクタインシュレータ４Ｂにおける上部に形成される各スリット内に配置された複数のグランド用コンタクト端子２Ｇｉと、複数の信号用コンタクト端子２Ａｉとから構成されている。隣接するチャネル間のクロストークを低減するために一対の信号用コンタクト端子２Ａｉの両脇に、それぞれ、グランド用コンタクト端子２Ｇｉが配置されている。隣接するグランド用コンタクト端子２Ｇｉおよび信号用コンタクト端子２Ａｉ、ならびに、隣接する信号用コンタクト端子２Ａｉ相互間は、仕切壁４ＵＰｉにより仕切られている。これにより、第１のコンタクト端子群は、コネクタインシュレータ４Ｂにおける一番の端から他端までグランド用コンタクト端子２Ｇｉ（Ｇ）、信号用コンタクト端子２Ａｉ（Ｓ）、信号用コンタクト端子２Ａｉ（Ｓ）、グランド用コンタクト端子２Ｇｉ（Ｇ）、…Ｇ，Ｓ，Ｓ，Ｇ…の順番で繰り返され配列されている。
【０００６】
信号用コンタクト端子２Ａｉは、コンタクトパッドに当接される接点部２ａｃを有する可動片部２ＡＭと、可動片部２ＡＭの端部に連なりプリント配線基板の表面に対し垂直となるように屈曲する固定端子部２ＡＦとから構成されている。グランド用コンタクト端子２Ｇｉは、コンタクトパッドに当接される接点部２ｇｃを有する可動片部２ＧＭと、可動片部２ＧＭの端部に連なりプリント配線基板の表面に対し垂直となるように屈曲する固定端子部２ＧＦとから構成されている。固定端子部２ＧＦの一端は、コネクタインシュレータ４Ｂの背面部に位置するプリント配線基板の導体パターンに半田付け固定されている。固定端子部２ＧＦの長さは、信号用コンタクト端子２Ａｉの固定端子部２ＡＦの長さと略同一に設定されている。スリット内に延びる可動片部２ＧＭの長さは、信号用コンタクト端子２Ａｉの対応する可動片部２ＡＭの長さに比して大に設定されている。これにより、可動片部２ＧＭの接点部２ｇｃの位置は、信号用コンタクト端子２Ａｉの対応する可動片部２ＡＭの接点部２ａｃの位置よりもスロット４Ａにより近い位置となる。
【０００７】
第２のコンタクト端子群は、コネクタインシュレータ４Ｂにおける上述の接続端部収容部に連通する下部の各スリット内に配置された複数のグランド用コンタクト端子２Ｂｉと、複数の信号用コンタクト端子２Ｄｉとを含んで構成されている。グランド用コンタクト端子２Ｂｉおよび信号用コンタクト端子２Ｄｉは、互いに同一の形状を有しているのでグランド用コンタクト端子２Ｂｉの構造について説明し、信号用コンタクト端子２Ｄｉの説明を省略する。
【０００８】
グランド用コンタクト端子２Ｂｉは、プラグコネクタの接続端部の他方のコンタクトパッドに当接される接点部２ｂｃを有する可動片部２ＢＭと、可動片部２ＢＭの端部に連なりプリント配線基板の表面に対し略平行となるようにスロット４Ａに向けて屈曲する固定端子部２ＢＦとから構成されている。各スリット内には、グランド用コンタクト端子２Ｂｉの接点部２ｂｃと上述のグランド用コンタクト端子２Ｇｉの接点部２ｇｃとが向かい合って配置されている。固定端子部２ＢＦの一端は、コネクタインシュレータ４Ｂのスロット４Ａの真下に位置するプリント配線基板の導体パターンに半田付け固定されている。
【０００９】
斯かる構成において、モジュールのプラグコネクタの接続端部が、ホストコネクタ４の第１のコンタクト端子群および第２のコンタクト端子群に接続される場合、先ず、グランド用コンタクト端子２Ｇｉの接点部２ａｃ、および、グランド用コンタクト端子２Ｂｉの接点部２ｂｃが、それぞれ、プラグコネクタの接続端部の各コンタクトパッドに当接された後、次に、信号用コンタクト端子２Ａｉの接点部２ａｃ、および、信号用コンタクト端子２Ｄｉの接点部２ｄｃが、それぞれ、プラグコネクタの接続端部の各コンタクトパッドに当接される。
【先行技術文献】
【特許文献】
【００１０】
【特許文献１】米国特許第９９３０７８１号公報
【発明の概要】
【発明が解決しようとする課題】
【００１１】
近年、大容量のデータを高速に伝送するためにトランシーバモジュールアセンブリーにより伝送されるデータの周波数帯域が１００ＧＨｚを超える比較的高周波数帯域においても、伝送特性が良好であることが要望される。
【００１２】
しかしながら、上述の特許文献１に示されるホストコネクタを備えるリセプタクルアセンブリーにおいて、例えば、１００ＧＨｚ以上の比較的高周波数帯域のデータが伝送される場合、隣接するグランド用コンタクト端子２Ｇｉおよび信号用コンタクト端子２Ａｉの形状が互いに異なるとき、ホストコネクタにおいてクロストークが増加し、周波数特性が劣化する虞がある。
【００１３】
以上の問題点を考慮し、本発明は、複数のコンタクト端子を備えるホストコネクタ、および、それを備えるリセプタクルアセンブリーであって、伝送されるデータの周波数帯域が比較的高周波数帯域においても、伝送特性が劣化する虞がない複数のコンタクト端子を備えるホストコネクタ、および、それを備えるリセプタクルアセンブリーを提供することを目的とする。
【課題を解決するための手段】
【００１４】
上述の目的を達成するために、本発明に係るホストコネクタは、モジュールの接続端部が着脱可能に挿入されるスロットを有するコネクタインシュレータと、コネクタインシュレータ内に配され接続端部のコンタクトパッドにそれぞれ当接される複数のコンタクト端子からなるコンタクト端子群と、を備え、コンタクト端子群は、複数のグランド用サブコンタクト端子と、グランド用サブコンタクト端子の端部を支持するグランド用メインコンタクト端子と、グランド用メインコンタクト端子と互いに同一形状の複数の信号用コンタクト端子とから構成され、グランド用メインコンタクト端子の接点部と信号用コンタクト端子の接点部とがコンタクト端子配列方向に沿った共通の直線上に配されており、かつ、複数の信号用コンタクト端子がグランド用メインコンタクト端子相互間に配置されることを特徴とする。
【００１５】
また、本発明に係るホストコネクタは、モジュールの接続端部が着脱可能に挿入されるスロットを有するコネクタインシュレータと、コネクタインシュレータ内に配され接続端部の一方のコンタクトパッドにそれぞれ当接される複数のコンタクト端子からなる第１のコンタクト端子群と、接続端部の一方のコンタクトパッドに向き合う他方のコンタクトパッドにそれぞれ当接される複数のコンタクト端子からなる第２のコンタクト端子群と、を備え、第１のコンタクト端子群は、複数のグランド用サブコンタクト端子と、グランド用サブコンタクト端子の端部を支持するグランド用メインコンタクト端子と、グランド用メインコンタクト端子と互いに同一形状の複数の信号用コンタクト端子とから構成され、グランド用メインコンタクト端子の接点部と信号用コンタクト端子の接点部とがコンタクト端子配列方向に沿った共通の直線上に配されており、かつ、複数の信号用コンタクト端子がグランド用メインコンタクト端子相互間に配置されることを特徴とする。
【００１６】
また、本発明に係るリセプタクルアセンブリーは、配線基板に配され、モジュール基板を含んで構成されるモジュールを着脱可能に収容するモジュール収容部を形成しモジュールを案内する案内部材と、モジュール収容部に隣接して配線基板に配され、上述のホストコネクタと、ホストコネクタを覆うコネクタカバーと、を備えて構成される。
【発明の効果】
【００１７】
本発明に係るホストコネクタ、および、それを備えるリセプタクルアセンブリーによれば、グランド用メインコンタクト端子の接点部と信号用コンタクト端子の接点部とがコンタクト端子配列方向に沿った共通の直線上に配されており、かつ、複数の信号用コンタクト端子がグランド用メインコンタクト端子相互間に配置されるので伝送されるデータの周波数帯域が比較的高周波数帯域においても、伝送特性が劣化する虞がない。
【図面の簡単な説明】
【００１８】
【図１】本発明に係るホストコネクタの一例に用いられる第１のコンタクト端子群および第２のコンタクト端子群の要部を部分的に拡大して示す斜視図である。
【図２Ａ】図１に示されるホストコネクタの構成を、モジュールの接続端部の一部とともに示す断面図である。
【図２Ｂ】図２Ａに示される断面をあらわす斜視図である。
【図３Ａ】図２Ａに示されるホストコネクタにおける第１のコンタクト端子群および第２のコンタクト端子群に対するモジュールの接続端部の挿入動作の説明に供される断面図である。
【図３Ｂ】図３Ａに示される断面をあらわす斜視図である。
【図４Ａ】図２Ａに示されるホストコネクタにおける第１のコンタクト端子群および第２のコンタクト端子群に対するモジュールの接続端部の挿入動作の説明に供される断面図である。
【図４Ｂ】図４Ａに示される断面をあらわす斜視図である。
【図５】モジュールが本発明に係るリセプタクルアセンブリーの一例に装着された状態を示す斜視図である。
【図６】図５に示されるリセプタクルアセンブリーの一例に装着されるモジュールの一例の外観を示す斜視図である。
【図７】図６に示されるモジュールをその一端部から見た外観を示す斜視図である。
【図８】本発明に係るリセプタクルアセンブリーの一例の構成を概略的に示す斜視図である。
【図９】図８に示されるリセプタクルアセンブリーの一例に用いられるホストコネクタの外観を示す斜視図である。
【図１０Ａ】本発明に係るホストコネクタの他の一例に用いられる第１のコンタクト端子群および第２のコンタクト端子群の要部を部分的に拡大して示す斜視図である。
【図１０Ｂ】図１０Ａに示される第１のコンタクト端子群の一部を構成するグランド用メインコンタクト端子およびグランド用サブコンタクト端子をモジュールの接続端部の一部と共に概略的に示す構成図である。
【図１１Ａ】本発明に係るホストコネクタのさらなる他の一例に用いられる第１のコンタクト端子群および第２のコンタクト端子群の要部を部分的に拡大して示す斜視図である。
【図１１Ｂ】図１１Ａに示される第１のコンタクト端子群の一部を構成するグランド用メインコンタクト端子およびグランド用サブコンタクト端子をモジュールの接続端部の一部と共に概略的に示す構成図である。
【図１２Ａ】本発明に係るホストコネクタのさらなる他の一例の断面を示す斜視図である。
【図１２Ｂ】図１２ＡにおけるＸＩＩＢ−ＸＩＩＢ線に沿って示される断面図である。
【図１３】本発明に係るホストコネクタの一例に用いられる第２のコンタクト端子群の一部を構成するグランド用コンタクト端子の変形例を示す部分断面図である。
【図１４Ａ】先行技術に関連したホストコネクタにおける第１のコンタクト端子群および第２のコンタクト端子群の要部を部分的に拡大して示す斜視図である。
【図１４Ｂ】図１４Ａに示されるホストコネクタの断面図である。
【発明を実施するための形態】
【００１９】
図５は、本発明に係るリセプタクルアセンブリーの一例をモジュールとともに示す。
図５において、リセプタクルアセンブリーは、所定の電子機器内の支持パネル１０上に複数個、支持され並設されている。なお、図５においては、代表して、支持パネル１０に支持される１個のリセプタクルアセンブリーを示す。
【００２０】
トランシーバモジュールアセンブリーの一例は、後述するモジュール１４と、リセプタクルアセンブリーとを含んで構成されている。モジュール１４は、図６および図７に示されるように、外郭部を形成する金属製のアッパケース１４Ｕおよびロアケース１４Ｌと、アッパケース１４Ｕとロアケース１４Ｌとの間に形成される収容空間における所定位置に位置決めされるモジュール基板と主な要素として含んで構成されている。
【００２１】
アッパ部材としてのアッパケース１４Ｕは、開口する下端を有している。アッパケース１４Ｕの一方の端部には、アッパケース１４Ｕの上面および両側面に連なって長手方向に突出する薄板状の保護壁が形成されている。保護壁は、モジュール１４が誤って落下された場合、後述するプラグコネクタ１４Ｐを保護するためのものとされる。
【００２２】
モジュール基板は、一方の端部に、接続端部としてのプラグコネクタ１４Ｐを構成する電極部を有している。プラグコネクタ１４Ｐの先端部に形成される電極部の表面および裏面には、それぞれ、複数のコンタクトパッドが共通の平面上に所定の間隔で互いに平行に配列されている。複数のコンタクトパッドの先端部は、配列方向に沿って共通の直線上に位置している。
【００２３】
ロア部材としてのロアケース１４Ｌは、上述のアッパケース４４Ｕの下端における開口を覆うようにアッパケース４４Ｕの下端に固定されている。
【００２４】
なお、上述のモジュール基板は、接続端部としてのプラグコネクタ１４Ｐを有するものとされるが、斯かる例に限られることなく、例えば、モジュール基板が、プラグコネクタに代えて、接続端部としてカードエッジ端子を先端部に有するものでもよい。
【００２５】
図７に示されるように、モジュール１４の端部に設けられるポート１４ＰＡおよび１４ＰＢには、光ケーブル（不図示）の一端に接続された光コネクタが接続される。その光ケーブルの他端は、図示が省略される通信システムを構成する他の筐体の光コネクタに接続されている。なお、モジュールのポートは、斯かる例に限られることなく、例えば、同軸ケーブルに接続される同軸コネクタが接続されるように構成されてもよい。
【００２６】
アッパケース１４Ｕにおける両側部に形成される貫通孔には、それぞれ、モジュール１４を後述するコネクタカバー２０に固定する固定用ネジ２６が長手方向に沿って貫通している。固定用ネジ２６のつまみ部は、モジュール１４におけるポート１４ＰＡおよび１４ＰＢが開口する端面に露出している。固定用ネジ２６の先端には、コネクタカバー２０の雌ねじ部にねじ込まれる雄ねじ部が形成されている。
【００２７】
アッパケース１４Ｕおよびロアケース１４Ｌの両側部には、それぞれ、側方に突出する突起壁部１４ＵＧおよび１４ＬＧが形成されている。突起壁部１４ＵＧおよび１４ＬＧは、後述するブラケット２４の第２の窪み部（不図示）の周縁に摺接するものとされる。また、ロアケース１４Ｌにおける固定用ネジ２６のつまみ部に近い各突起壁部１４ＬＧの端部には、当接面部１４ＬＡが形成されている。モジュール１４がリセプタクルアセンブリーに接続される場合、ロアケース１４Ｌの各当接面部１４ＬＡのＡ部は、後述するブラケット２４の第１の窪み部（不図示）の両端の周縁部に当接するものとされる。
【００２８】
リセプタクルアセンブリーは、図８に示されるように、プリント配線基板１２に固定されている。リセプタクルアセンブリーは、モジュール１４の着脱のとき、モジュール１４を案内するブラケット２４と、ブラケット２４が連結されるブラケット支持部材２６と、モジュール１４を着脱可能に収容するモジュール収容部を形成する一対のガイドレール部材２２Ｒ，２２Ｌと、モジュール１４から発生した熱を放熱するヒートシンクユニット１６（図５参照）と、装着されたモジュール１４のプラグコネクタ１４Ｐのコンタクトパッドとプリント配線基板１２の導体パターンとを電気的に接続するホストコネクタ１８と、ホストコネクタ１８を覆うコネクタカバー２０と、を主な要素として含んで構成されている。
【００２９】
ブラケット２４は、中央部に短辺に沿って貫通するガイドスロットを有している。ガイドスロットは、上述の固定用ネジ２６のつまみ部が露出するモジュール１４の端部が挿入される第１の孔部２４ａと、略長方形の第１の孔部２４ａに連通しガイド壁を有する第２の孔部（不図示）と、から構成されている。
【００３０】
第２の孔部に形成される第１の窪み部は、上述のモジュール１４のロアケース１４Ｌの突起壁部１４ＬＧに連なる下端部に対応して形成されている。第２の孔部に形成される第２の窪み部は、モジュール１４のアッパケース１４Ｕおよびロアケース１４Ｌの各突起壁部１４ＵＧおよび１４ＬＧに対応して形成されている。第２の窪み部の周縁には、通過するモジュール１４の各突起壁部１４ＵＧおよび１４ＬＧが摺接される。上述の第２の孔部の周辺の４箇所には、ブラケット２４をブラケット支持部材２６に固定するための各小ネジが挿入される透孔が形成されている。
【００３１】
ブラケット支持部材２６は、ブラケット２４の第２の孔部に対応したガイドスロットを内側に有している。
【００３２】
プリント配線基板１２は、コネクタカバー２０をプリント配線基板１２に固定するための小ネジが挿入される一対の孔、および、位置決めピン１２Ｐを、ホストコネクタ１８に隣接して両端に有している。位置決めピン１２Ｐ相互間には、ホストコネクタ１８が配されている。ホストコネクタ１８は、コネクタカバー２０により覆われている。
【００３３】
コネクタカバー２０は、例えば、金属材料で作られ、図８に示されるように、コネクタ収容部２０Ａと、コネクタ収容部２０Ａの両脇に形成され、後述するガイドレール部材２２Ｒ、２２Ｌの一端を支持するガイドレール支持部２０Ｂとを含んで構成されている。
【００３４】
コネクタ収容部２０Ａは、モジュール１４の着脱のとき、モジュール１４のプラグコネクタ１４Ｐが通過するスロットを有しホストコネクタ１８を内側に収容するものとされる。また、コネクタ収容部２０Ａは、所定の隙間をもってホストコネクタ１８全体を覆っている。
【００３５】
コネクタ収容部２０Ａにおけるスロットは、ホストコネクタ１８のスロット１８Ａに向かい合って形成されている。コネクタ収容部２０Ａのスロットの周縁における両端近傍には、上述の固定用ネジ２６の雄ねじ部がねじ込まれる雌ねじ部が２箇所に形成されている。また、スロットの周縁の周辺には、環状のＥＭＩガスケットＥＧ１が挿入される溝が形成されている。さらに、コネクタカバー２０の下端面には、環状のＥＭＩガスケット（不図示）が挿入される溝が形成されている。その底部のＥＭＩガスケットは、プリント配線基板１２の実装面に当接している。
【００３６】
これにより、モジュール１４のプラグコネクタ１４Ｐがホストコネクタ１８に接続された場合、プラグコネクタ１４Ｐが突出するモジュール１４の端面がコネクタカバー２０のスロットの周縁のＥＭＩガスケットＥＧ１に当接するとともに、その底部のＥＭＩガスケットが、プリント配線基板１２の実装面に当接しているのでホストコネクタ１８内で発生したノイズが、コネクタ収容部２０Ａ内に閉じ込められることとなる。
【００３７】
各ガイドレール支持部２０Ｂにおける雌ねじ部に隣接した位置には、それぞれ、ガイドレール部材２２Ｒおよび２２Ｌの一端が係合される係合部（不図示）が形成されている。また、各ガイドレール支持部２０Ｂの内部には、プリント配線基板１２の孔を介して小ネジがねじ込まれる雌ねじ孔（不図示）がプリント配線基板１２の実装面に対し略垂直に形成されている。
【００３８】
案内部材としてのガイドレール部材２２Ｒは、例えば、樹脂材料で成形され、図８に示されるように、モジュール１４の一方の側部を案内し保持するガイド壁部を含んで構成されている。ガイド壁部は、長手方向の両端にそれぞれ、上述のガイドレール支持部２０Ｂの係合部、および、ブラケット支持部２６の係合部に係合される突起部を有している。ガイド壁部の一方の外周面には、モジュール１４の一方の側部を案内し保持する案内溝が長手方向に沿って形成されている。ガイド壁部の上部において離隔した２箇所には、雌ねじ孔が形成されている。雌ねじ孔には、ヒートシンク本体１６（図５参照）をガイドレール２２Ｒに固定するための小ネジＢＳ１がねじ込まれる。各雌ねじ孔に隣接した位置には、ヒートシンク本体１６をガイドレール２２Ｒに対し位置決めするための突起部が形成されている。各突起部の先端部は、ヒートシンク本体１６の比較的浅い位置決め溝に係合される。
【００３９】
一方、案内部材としてのガイドレール部材２２Ｌは、例えば、樹脂材料で成形され、図８に示されるように、モジュール１４の他方の側部を案内し保持するガイド壁部を含んで構成されている。なお、そのガイド壁部の構成は、上述のガイドレール部材２２Ｒのガイド壁部の構成と同様とされるのでその説明を省略する。これにより、プリント配線基板１２上においてガイドレール部材２２Ｒおよびガイドレール部材２２Ｌ相互間にモジュール収容部が形成されることとなる。
【００４０】
図９に拡大されて示されるように、本発明に係るホストコネクタの一例としてのホストコネクタ１８は、モジュール１４のプラグコネクタ１４Ｐが着脱可能に挿入されるスロット１８Ａを有するコネクタインシュレータ１８ＣＩと、図２Ａおよび図２Ｂに示されるように、コネクタインシュレータ１８ＣＩ内に配されプラグコネクタ１４Ｐの接続端部の一方のコンタクトパッド１４ＣＰＡにそれぞれ当接される複数のコンタクト端子からなる第１のコンタクト端子群と、プラグコネクタ１４Ｐの接続端部の一方のコンタクトパッド１４ＣＰＡに向き合う他方のコンタクトパッド１４ＣＰＢにそれぞれ当接される複数のコンタクト端子からなる第２のコンタクト端子群と、を含んで構成されている。
【００４１】
コネクタインシュレータ１８ＣＩは、例えば、樹脂材料で成形されており、上述のコンタクト端子の配列方向に沿って細長く延びるスロット１８Ａが形成される前部と、前部に向かい合う背部と、スロット１８Ａの両端を形成する両側壁部を連結する上部と、下部とから構成されている。
【００４２】
前部におけるスロット１８Ａの周縁には、所定の間隔でコンタクト端子の配列方向、即ち、長手方向に沿って形成される複数のスリット１８ＵＣｉおよび１８ＬＣｉ（ｉ＝１〜ｎ，ｎは正の整数）（図２Ｂ参照）が形成されている。
【００４３】
複数のスリット１８ＵＣｉおよび１８ＬＣｉは、それぞれ、上部および下部の内周部にそれぞれ、互いに向き合って形成されている。スリット１８ＵＣｉおよび１８ＬＣｉは、互いに連通している。
【００４４】
隣接するスリット１８ＵＣｉ相互間は、隔壁１８ＵＰｉ（ｉ＝１〜ｎ，ｎは正の整数）により仕切られている。また、隣接するスリット１８ＬＣｉ相互間は、隔壁１８ＬＰｉ（ｉ＝１〜ｎ，ｎは正の整数）により仕切られている。
【００４５】
コネクタインシュレータ１８ＣＩにおけるスロット１８Ａの略中央部分の周縁を形成する複数の隔壁１８ＬＰｉの前端部の位置は、図２Ａ、および、図９に示されるように、スロット１８Ａの周縁の他の部分を形成する複数の隔壁１８ＬＰｉの前端部の位置よりも背部に近い位置とされる。
【００４６】
第１のコンタクト端子群および第２のコンタクト端子群は、スロット１８Ａを介してコネクタインシュレータ１８ＣＩの接続端部収容部１８ＣＡに挿入されたモジュール１４のプラグコネクタ１４Ｐを、協働して挟持し、リセプタクルアセンブリーが配置されるプリント配線基板１２の導体パターンに接続される電極群に電気的に接続するものとされる。
【００４７】
第１のコンタクト端子群は、図２Ａに示されるように、コネクタインシュレータ１８ＣＩにおける各スリット１８ＵＣｉ内に配置された複数のグランド用サブコンタクト端子１８Ｇｉ（ｉ＝１〜ｎ，ｎは正の整数）と、グランド用サブコンタクト端１８Ｇｉを支持するグランド用メインコンタクト端子１８ＣＢｉ（ｉ＝１〜ｎ，ｎは正の整数）と、複数の信号用コンタクト端子１８ａｉ（ｉ＝１〜ｎ，ｎは正の整数）とから構成されている。
【００４８】
隣接するチャネル間のクロストークを低減するために一対の信号用コンタクト端子１８ａｉの両脇に、それぞれ、グランド用サブコンタクト端子１８Ｇｉおよびグランド用メインコンタクト端子１８ＣＢｉが配置されている。
【００４９】
これにより、第１のコンタクト端子群は、コネクタインシュレータ１８ＣＩにおける一番の端から他端までグランド用サブコンタクト端子１８Ｇｉ（Ｇ）およびグランド用メインコンタクト端子１８ＣＢｉ（Ｇ）、信号用コンタクト端子１８ａｉ（Ｓ）、信号用コンタクト端子１８ａｉ（Ｓ）、グランド用サブコンタクト端子１８Ｇｉ（Ｇ）およびグランド用メインコンタクト端子１８ＣＢｉ（Ｇ）、Ｇ，Ｓ，Ｓ，Ｇ…の順番で繰り返され配列されている。
【００５０】
信号用コンタクト端子１８ａｉは、コンタクトパッド１４ＣＰＡに当接される下方に凸状の接点部１８ａｃを有する可動片部１８ＡＭと、可動片部１８ＡＭの端部に連なりプリント配線基板１２の表面に対し垂直となるように屈曲する固定端子部１８ＡＦとから構成されている。
【００５１】
グランド用メインコンタクト端子１８ＣＢｉは、コンタクトパッド１４ＣＰＡに当接される接点部１８ｃｂを有する可動片部１８ＣＢＴと、可動片部１８ＣＢＴの端部に連なりプリント配線基板１２の表面に対し垂直となるように屈曲する固定端子部１８ＣＢＦとから構成されている。固定端子部１８ＣＢＦの一端は、コネクタインシュレータ１８ＣＩの背部に位置するプリント配線基板１２の導体パターンに半田付け固定されている。固定端子部１８ＣＢＦの長さは、上述の信号用コンタクト端子１８ａｉの固定端子部１８ＡＦの長さと略同一に設定されている。下方に凸状の接点部１８ｃｂの延在部１８ｃｅは、後述するグランド用サブコンタクト端子１８Ｇｉのスリット１８ＧＨを貫通しスロット１８Ａの方向に斜め上方に延びている。
【００５２】
グランド用サブコンタクト端子１８Ｇｉは、上述の共通のコンタクトパッド１４ＣＰＡに当接される下方に凸状の接点部１８ｇｃを他端に有する可動片部を有している。可動片部の一端部は、グランド用メインコンタクト端子１８ＣＢｉの可動片部１８ＣＢＴの端部の上面に重なるように接合されている。そのような接合は、例えば、スポット溶接、または、熱圧着等の方法が使用されてもよい。
【００５３】
可動片部の他端部は、スロット１８Ａに向けて延び斜め下方に折り曲げられている。可動片部の他端部の折曲部は、グランド用メインコンタクト端子１８ＣＢｉの接点部１８ｃｂの延在部１８ｃｅが貫通するスリット１８ＧＨを有している。可動片部におけるプラグコネクタ１４Ｐの接続端部の着脱方向に沿った長さは、グランド用メインコンタクト端子１８ＣＢｉの可動片部１８ＣＢＴの長さに比して大に設定されている。
【００５４】
これにより、可動片部の接点部１８ｇｃの位置は、グランド用メインコンタクト端子１８ＣＢｉの可動片部１８ＣＢＴの接点部１８ｃｂの位置よりもスロット１８Ａにより近い位置となる。図２Ａに示されるように、同一のコンタクトパッドにおける異なる位置に当接される接点部１８ｇｃと接点部１８ｃｂとの間の中心間距離Ｄｃは、例えば、約１．１ｍｍ以上１．５ｍｍ以下の範囲に設定されている。
【００５５】
第２のコンタクト端子群は、コネクタインシュレータ１８ＣＩにおける各スリット１８ＬＣｉ内に配置された複数のグランド用コンタクト端子１８ｂｉ（ｉ＝１〜ｎ，ｎは正の整数）と、複数の信号用コンタクト端子と、複数の電源用コンタクト端子とを含んで構成されている。
グランド用コンタクト端子、信号用コンタクト端子、および、電源用コンタクト端子は、互いに同一の形状を有しているのでグランド用コンタクト端子１８ｂｉの構造について説明し、信号用コンタクト端子および電源用コンタクト端子の説明を省略する。なお、その信号用コンタクト端子を通じて伝送される信号は、上述の信号用コンタクト端子１８ａｉを通じて伝送される高周波数帯域の信号に比して低い周波数帯域の信号とされる。
【００５６】
グランド用コンタクト端子１８ｂｉは、プラグコネクタ１４Ｐの接続端部の他方のコンタクトパッド１４ＣＰＢに当接される上方に凸状の接点部１８ｂｃを有する可動片部１８Ｂと、可動片部１８Ｂの端部に連なりプリント配線基板１２の表面に対し略平行となるようにスロット１８Ａに向けて延びた後、屈曲する固定端子部１８Ｍとから構成されている。固定端子部１８Ｍにおける隔壁１８ＬＰｉの前端部に沿って折り曲げられた端子１８Ｆは、プリント配線基板１２の導体パターンに半田付け固定されている。
【００５７】
上述のグランド用サブコンタクト端子１８Ｇｉの接点部１８ｇｃとグランド用コンタクト端子１８ｂｉの接点部１８ｂｃ、電源用コンタクト端子、信号用コンタクト端子の接点部とは、向かい合って配置されている。また、上述のグランド用メインコンタクト端子１８ＣＢｉの接点部１８ｃｂとグランド用コンタクト端子１８ｂｉの接点部１８ｂｃ、電源用コンタクト端子、信号用コンタクト端子の接点部とは、向かい合って配置されている。
【００５８】
斯かる構成において、モジュール１４のプラグコネクタ１４Ｐがホストコネクタ１８に接続される場合、図２Ａおよび図２Ｂに示されるように、先ず、プラグコネクタ１４Ｐの先端が、プリント配線基板１２の表面に対し略平行となるように、コネクタインシュレータ１８ＣＩのスロット１８Ａ内に挿入され、次に、図３Ａおよび図３Ｂに示されるように、プラグコネクタ１４Ｐの先端がさらにグランド用サブコンタクト端子１８Ｇｉの接点部１８ｇｃ、信号用コンタクト端子１８ａｉの接点部とグランド用コンタクト端子１８ｂｉの接点部１８ｂｃ、信号用コンタクト端子の接点部との間に位置合わせされ、さらに押し込められる。これにより、グランド用サブコンタクト端子１８Ｇｉの接点部１８ｇｃが、最初にコンタクトパッド１４ＣＰＡに摺接されるとともに、続いて、図４Ａおよび図４Ｂに示されるように、グランド用メインコンタクト端子１８ＣＢｉの接点部１８ｃｂがコンタクトパッド１４ＣＰＡに摺接される。従って、グランド用サブコンタクト端子１８Ｇｉの接点部１８ｇｃおよびグランド用メインコンタクト端子１８ＣＢｉの接点部１８ｃｂが、それぞれ、同一のコンタクトパッド１４ＣＰＡにおける異なる位置に位置決めされる。また、グランド用サブコンタクト端子１８Ｇｉ相互間に配される複数の信号用コンタクト端子１８ａｉの接点部１８ａｃが、それぞれ、コンタクトパッド１４ＣＰＡに摺接される。
【００５９】
その際、グランド用コンタクト端子１８ｂｉの接点部１８ｂｃが、プラグコネクタ１４Ｐのコンタクトパッド１４ＣＰＢに摺接され、信号用コンタクト端子および電源用コンタクト端子が摺接される。
【００６０】
このようにモジュール１４のプラグコネクタ１４Ｐがホストコネクタ１８に接続された状態で高周波数帯域の信号、例えば、１００ＫＨｚ以上の信号が信号用コンタクト端子１８ａｉを通じて伝送される場合、互いに同一形状のグランド用メインコンタクト端子１８ＣＢｉの接点部１８ｃｂと信号用コンタクト端子１８ａｉの接点部とがコンタクト端子の配列方向に沿った共通の直線上に配されており、かつ、複数の信号用コンタクト端子１８ａｉがグランド用メインコンタクト端子１８ＣＢｉ相互間に配置されているのでクロストークが増加することなく、周波数特性が劣化することがない。このような特有の効果は、本願の発明者による所定のシュミレータから得られた結果から検証されている。
【００６１】
図１０Ａおよび図１０Ｂは、本発明に係るホストコネクタの他の一例に用いられる第１のコンタクト端子群の要部を示す。
【００６２】
図１０Ａおよび図１０Ｂにおいて、ホストコネクタは、上述のモジュール１４のプラグコネクタ１４Ｐが着脱可能に挿入されるスロット１８Ａを有するコネクタインシュレータ１８ＣＩと、コネクタインシュレータ１８ＣＩ内に配されプラグコネクタ１４Ｐの接続端部の一方のコンタクトパッド１４ＣＰＡにそれぞれ当接される複数のコンタクト端子からなる第１のコンタクト端子群と、プラグコネクタ１４Ｐの接続端部の一方のコンタクトパッド１４ＣＰＡに向き合う他方のコンタクトパッド１４ＣＰＢにそれぞれ当接される複数のコンタクト端子からなる第２のコンタクト端子群と、を含んで構成されている。
【００６３】
なお、図１０Ａおよび１０Ｂに示される例において、コネクタインシュレータ１８ＣＩおよび第２のコンタクト端子群の構造は、図２Ａに示される例におけるコネクタインシュレータ１８ＣＩおよび第２のコンタクト端子群の構造と同一とされるのでその重複説明を省略する。
【００６４】
第１のコンタクト端子群は、図１０Ａおよび１０Ｂに示されるように、コネクタインシュレータ１８ＣＩにおける各スリット１８ＵＣｉ内に配置された複数のグランド用サブコンタクト端子２８Ｇｉ（ｉ＝１〜ｎ，ｎは正の整数）と、グランド用サブコンタクト端２８Ｇｉを支持するグランド用メインコンタクト端子２８ＣＢｉ（ｉ＝１〜ｎ，ｎは正の整数）と、複数の信号用コンタクト端子２８ａｉ（ｉ＝１〜ｎ，ｎは正の整数）とから構成されている。
【００６５】
隣接するチャネル間のクロストークを低減するために一対の信号用コンタクト端子２８ａｉの両脇に、それぞれ、グランド用サブコンタクト端子２８Ｇｉおよびグランド用メインコンタクト端子２８ＣＢｉが配置されている。
【００６６】
これにより、第１のコンタクト端子群は、コネクタインシュレータ１８ＣＩにおける一番の端から他端までグランド用サブコンタクト端子２８Ｇｉ（Ｇ）およびグランド用メインコンタクト端子２８ＣＢｉ（Ｇ）、信号用コンタクト端子２８ａｉ（Ｓ）、信号用コンタクト端子２８ａｉ（Ｓ）、グランド用サブコンタクト端子２８Ｇｉ（Ｇ）およびグランド用メインコンタクト端子２８ＣＢｉ（Ｇ）、Ｇ，Ｓ，Ｓ，Ｇ…の順番で繰り返され配列されている。
【００６７】
信号用コンタクト端子２８ａｉは、コンタクトパッド１４ＣＰＡに当接される接点部２８ａｃを有する可動片部２８ＡＭと、可動片部２８ＡＭの端部に連なりプリント配線基板１２の表面に対し垂直となるように屈曲する固定端子部２８ＡＦとから構成されている。
【００６８】
グランド用メインコンタクト端子２８ＣＢｉは、コンタクトパッド１４ＣＰＡに当接される下方に凸状の接点部２８ｃｂを有する可動片部２８ＣＢＴと、可動片部２８ＣＢＴの端部に連なりプリント配線基板１２の表面に対し垂直となるように屈曲する固定端子部２８ＣＢＦとから構成されている。固定端子部２８ＣＢＦの一端は、コネクタインシュレータ１８ＣＩの背部に位置するプリント配線基板１２の導体パターンに半田付け固定されている。固定端子部２８ＣＢＦの長さは、上述の信号用コンタクト端子２８ａｉの固定端子部２８ＡＦの長さと略同一に設定されている。接点部２８ｃｂの延在部２８ｃｅは、後述するグランド用サブコンタクト端子２８Ｇｉの第１の折曲部の内側に配されるようにスロット１８Ａの方向に斜め上方に延びている。
【００６９】
グランド用サブコンタクト端子２８Ｇｉは、上述の共通のコンタクトパッド１４ＣＰＡに当接される下方に凸状の接点部２８ｇｃを他端に有する可動片部を有している。可動片部の一端部は、グランド用メインコンタクト端子２８ＣＢｉの可動片部２８ＣＢＴの端部の上面に重なるように接合されている。そのような接合は、例えば、スポット溶接、または、熱圧着等の方法が使用されてもよい。
【００７０】
可動片部の他端部は、図１０Ｂに示されるように、スロット１８Ａに向けて延び斜め左下方に折り曲げられる第１の折曲部を有している。上述の可動片部の他端部の第１の折曲部に連なりスロット１８Ａに向けて斜め上方に延びる第２の折曲部は、下方に凸状の接点部２８ｇｃを有している。その可動片部におけるプラグコネクタ１４Ｐの接続端部の着脱方向に沿った長さは、グランド用メインコンタクト端子２８ＣＢｉの可動片部２８ＣＢＴの長さに比して大に設定されている。
【００７１】
これにより、可動片部の接点部２８ｇｃの位置は、グランド用メインコンタクト端子２８ＣＢｉの可動片部２８ＣＢＴの接点部２８ｃｂの位置よりもスロット１４Ａにより近い位置となる。図１０Ｂに示されるように、同一のコンタクトパッドにおける異なる位置に当接される接点部２８ｇｃと接点部２８ｃｂとの間の中心間距離Ｄｃは、例えば、約１．１ｍｍ以上１．５ｍｍ以下の範囲に設定されている。
【００７２】
このようにモジュール１４のプラグコネクタ１４Ｐがホストコネクタ１８に接続された状態で高周波数帯域の信号、例えば、１００ＫＨｚ以上の信号が信号用コンタクト端子２８ａｉを通じて伝送される場合、互いに同一形状のグランド用メインコンタクト端子２８ＣＢｉの接点部２８ｃｂと信号用コンタクト端子２８ａｉの接点部とがコンタクト端子の配列方向に沿った共通の直線上に配されており、かつ、複数の信号用コンタクト端子２８ａｉがグランド用メインコンタクト端子２８ＣＢｉ相互間に配置されているのでクロストークが増加することなく、周波数特性が劣化することがない。このような特有な効果は、本願の発明者による所定のシュミレータから得られた結果から検証されている。
【００７３】
図１１Ａおよび図１１Ｂは、本発明に係るホストコネクタのさらなる他の一例に用いられる第１のコンタクト端子群の要部を示す。
【００７４】
ホストコネクタは、モジュール１４のプラグコネクタ１４Ｐが着脱可能に挿入されるスロット１８Ａを有するコネクタインシュレータ１８ＣＩと、コネクタインシュレータ１８ＣＩ内に配されプラグコネクタ１４Ｐの接続端部の一方のコンタクトパッド１４ＣＰＡにそれぞれ当接される複数のコンタクト端子からなる第１のコンタクト端子群と、プラグコネクタ１４Ｐの接続端部の一方のコンタクトパッド１４ＣＰＡに向き合う他方のコンタクトパッド１４ＣＰＢにそれぞれ当接される複数のコンタクト端子からなる第２のコンタクト端子群と、を含んで構成されている。
【００７５】
なお、図１１Ａおよび１１Ｂに示される例において、コネクタインシュレータ１８ＣＩおよび第２のコンタクト端子群の構造は、図２Ａに示される例におけるコネクタインシュレータ１８ＣＩおよび第２のコンタクト端子群の構造と同一とされるのでその重複説明を省略する。
【００７６】
第１のコンタクト端子群は、図１１Ａおよび１１Ｂに示されるように、コネクタインシュレータ１８ＣＩにおける各スリット１８ＵＣｉ内に配置された複数のグランド用サブコンタクト端子３８Ｇｉ（ｉ＝１〜ｎ，ｎは正の整数）と、グランド用サブコンタクト端３８Ｇｉを支持するグランド用メインコンタクト端子３８ＣＢｉ（ｉ＝１〜ｎ，ｎは正の整数）と、複数の信号用コンタクト端子３８ａｉ（ｉ＝１〜ｎ，ｎは正の整数）とから構成されている。
【００７７】
隣接するチャネル間のクロストークを低減するために一対の信号用コンタクト端子３８ａｉの両脇に、それぞれ、グランド用サブコンタクト端子３８Ｇｉおよびグランド用メインコンタクト端子３８ＣＢｉが配置されている。
【００７８】
これにより、第１のコンタクト端子群は、コネクタインシュレータ１８ＣＩにおける一番の端から他端までグランド用サブコンタクト端子３８Ｇｉ（Ｇ）およびグランド用メインコンタクト端子３８ＣＢｉ（Ｇ）、信号用コンタクト端子３８ａｉ（Ｓ）、信号用コンタクト端子３８ａｉ（Ｓ）、グランド用サブコンタクト端子３８Ｇｉ（Ｇ）およびグランド用メインコンタクト端子３８ＣＢｉ（Ｇ）、Ｇ，Ｓ，Ｓ，Ｇ，…の順番で繰り返され配列されている。
【００７９】
信号用コンタクト端子３８ａｉは、コンタクトパッド１４ＣＰＡに当接される接点部３８ａｃを有する可動片部３８ＡＭと、可動片部３８ＡＭの端部に連なりプリント配線基板１２の表面に対し垂直となるように屈曲する固定端子部３８ＡＦとから構成されている。
【００８０】
グランド用メインコンタクト端子３８ＣＢｉは、コンタクトパッド１４ＣＰＡに当接される下方に凸状の接点部３８ｃｂを有する可動片部３８ＣＢＴと、可動片部３８ＣＢＴの端部に連なりプリント配線基板１２に対し垂直となるように屈曲する固定端子部３８ＣＢＦとから構成されている。固定端子部３８ＣＢＦの一端は、コネクタインシュレータ１８ＣＩの背部に位置するプリント配線基板１２の導体パターンに半田付け固定されている。固定端子部３８ＣＢＦの長さは、上述の信号用コンタクト端子３８ａｉの固定端子部３８ＡＦの長さと略同一に設定されている。接点部３８ｃｂの延在部３８ｃｅは、後述するグランド用サブコンタクト端子３８Ｇｉの第１の折曲部の内側に配されるようにスロット１８Ａの方向に斜め上方に延びている。
【００８１】
グランド用サブコンタクト端子３８Ｇｉは、上述の共通のコンタクトパッド１４ＣＰＡに当接される下方に凸状の接点部３８ｇｃを他端に有する可動片部を有している。可動片部の一端部は、グランド用メインコンタクト端子３８ＣＢｉの可動片部３８ＣＢＴの端部の上面に接合されている。そのような接合は、例えば、スポット溶接、または、熱圧着等の方法が使用されてもよい。
【００８２】
可動片部の他端部は、図１１Ｂに示されるように、スロット１８Ａに向けて延び斜め左下方に折り曲げられる第１の折曲部を有している。上述の可動片部の他端部の第１の折曲部に連なりスロット１８Ａの方向とは逆方向斜め上方に延びる第２の折曲部は、下方に凸状の接点部３８ｇｃを有している。その可動片部におけるプラグコネクタ１４Ｐの接続端部の着脱方向に沿った長さは、グランド用メインコンタクト端子３８ＣＢｉの可動片部３８ＣＢＴの長さに比して大に設定されている。
【００８３】
これにより、可動片部の接点部３８ｇｃの位置は、グランド用メインコンタクト端子３８ＣＢｉの可動片部３８ＣＢＴの接点部３８ｃｂの位置よりもスロット１４Ａにより近い位置となる。図１１Ｂに示されるように、同一のコンタクトパッドにおける異なる位置に当接される接点部３８ｇｃと接点部３８ｃｂとの間の中心間距離Ｄｃは、例えば、約１．１ｍｍ以上１．５ｍｍ以下の範囲に設定されている。
【００８４】
このようにモジュール１４のプラグコネクタ１４Ｐがホストコネクタ１８に接続された状態で高周波数帯域の信号、例えば、１００ＫＨｚ以上の信号が信号用コンタクト端子３８ａｉを通じて伝送される場合、互いに同一形状のグランド用メインコンタクト端子３８ＣＢｉの接点部３８ｃｂと信号用コンタクト端子３８ａｉの接点部とがコンタクト端子の配列方向に沿った共通の直線上に配されており、かつ、複数の信号用コンタクト端子３８ａｉがグランド用メインコンタクト端子３８ＣＢｉ相互間に配置されているのでクロストークが増加することなく、周波数特性が劣化することがない。このような特有な効果は、本願の発明者による所定のシュミレータから得られた結果から検証されている。
【００８５】
図１２Ａおよび図１２Ｂは、本発明に係るホストコネクタのさらなる他の一例の要部を示す。
【００８６】
図２Ａおよび図２Ｂに示されるホストコネクタ１８は、モジュール１４のプラグコネクタ１４Ｐが着脱可能に挿入されるスロット１８Ａを有するコネクタインシュレータ１８ＣＩと、コネクタインシュレータ１８ＣＩ内に配されプラグコネクタ１４Ｐの接続端部の一方のコンタクトパッド１４ＣＰＡにそれぞれ当接される複数のコンタクト端子からなる第１のコンタクト端子群と、プラグコネクタ１４Ｐの接続端部の一方のコンタクトパッド１４ＣＰＡに向き合う他方のコンタクトパッド１４ＣＰＢにそれぞれ当接される複数のコンタクト端子からなる第２のコンタクト端子群と、を含んで構成されているのに対し、一方、図１２Ａおよび図１２Ｂに示される例においては、ホストコネクタ１８は、コンタクトパッド１４ＣＰＢにそれぞれ当接される複数のコンタクト端子からなる第２のコンタクト端子群を含まず、第１のコンタクト端子群のみを含むものとされる。なお、図１２Ａおよび図１２Ｂは、図２Ａおよび図２Ｂに示される例における構成要素と同一の構成要素について、同一の符号を付して示し、その重複説明を省略する。
【００８７】
なお、上述の図２Ａおよび図２Ｂに示されるホストコネクタ１８においては、第１のコンタクト端子群と、プラグコネクタ１４Ｐの接続端部の一方のコンタクトパッド１４ＣＰＡに向き合う他方のコンタクトパッド１４ＣＰＢにそれぞれ当接される複数のコンタクト端子からなる第２のコンタクト端子群と、を含んで構成され、第２のコンタクト端子群は、複数のグランド用コンタクト端子１８ｂｉを含んで構成されているが、斯かる例に限られることなく、例えば、図１３に示されるように、第２のコンタクト端子群の一部を構成するグランド用コンタクト端子が、コネクタインシュレータ１８ＣＩにおける各スリット１８ＵＣｉ内に配置された複数のグランド用サブコンタクト端子４８Ｇｉ（ｉ＝１〜ｎ，ｎは正の整数）と、グランド用サブコンタクト端４８Ｇｉを支持するグランド用メインコンタクト端子４８ＣＢｉ（ｉ＝１〜ｎ，ｎは正の整数）と、から構成されてもよい。
【００８８】
グランド用メインコンタクト端子４８ＣＢｉは、コンタクトパッド１４ＣＰＢに当接される接点部４８ｃｂを有する可動片部４８ＣＢＴと、可動片部４８ＣＢＴの端部に連なりプリント配線基板１２の表面に対し垂直となるように屈曲する固定端子部４８ＣＢＦとから構成されている。固定端子部４８ＣＢＦの一端は、コネクタインシュレータ１８ＣＩの背部に位置するプリント配線基板１２の導体パターンに半田付け固定されている。固定端子部４８ＣＢＦの長さは、上述の信号用コンタクト端子の固定端子部の長さと略同一に設定されている。上方に凸状の接点部４８ｃｂの延在部４８ｃｅは、後述するグランド用サブコンタクト端子４８Ｇｉのスリット４８ＧＨを貫通しスロット１８Ａの方向に左斜め下方に延びている。
【００８９】
グランド用サブコンタクト端子４８Ｇｉは、上述の共通のコンタクトパッド１４ＣＰＢに当接される上方に凸状の接点部４８ｇｃを他端に有する可動片部を有している。可動片部の一端部は、グランド用メインコンタクト端子４８ＣＢｉの可動片部４８ＣＢＴの端部の下面に重なるように接合されている。そのような接合は、例えば、スポット溶接、または、熱圧着等の方法が使用されてもよい。
【００９０】
上述のグランド用サブコンタクト端子４８Ｇｉの可動片部の他端部は、スロット１８Ａに向けて左斜め下方に延びた後、上方に向けて折り曲げられている。左斜め上方に延びる可動片部の他端部の折曲部は、グランド用メインコンタクト端子４８ＣＢｉの接点部４８ｃｂの延在部４８ｃｅが貫通するスリット４８ＧＨを有している。可動片部におけるプラグコネクタ１４Ｐの接続端部の着脱方向に沿った長さは、グランド用メインコンタクト端子４８ＣＢｉの可動片部４８ＣＢＴの長さに比して大に設定されている。
【００９１】
これにより、可動片部の接点部４８ｇｃの位置は、グランド用メインコンタクト端子４８ＣＢｉの可動片部４８ＣＢＴの接点部４８ｃｂの位置よりもスロット１８Ａにより近い位置となる。図１３に示されるように、同一のコンタクトパッドにおける異なる位置に当接される接点部４８ｇｃと接点部４８ｃｂとの間の中心間距離Ｄｃは、例えば、約１．１ｍｍ以上１．５ｍｍ以下の範囲に設定されている。
【符号の説明】
【００９２】
１２    プリント配線基板
１４    モジュール
１４Ｐ    プラグコネクタ
１８    ホストコネクタ
１８Ｇｉ、２８Ｇｉ、３８Ｇｉ、４８Ｇｉ    グランド用サブコンタクト端子
１８ＣＢｉ，２８ＣＢｉ，３８ＣＢｉ、４８ＣＢｉ    グランド用メインコンタクト端子
１８ａｉ、２８ａｉ，３８ａｉ    信号用コンタクト端子
１８ｂｉ    グランド用コンタクト端子
１８ＣＩ    コネクタインシュレータ
２０    コネクタカバー
２２Ｒ，２２Ｌ    ガイドレール部材
【図１】
2020187844.tif 000003
【図２Ａ】
2020187844.tif 000004
【図２Ｂ】
2020187844.tif 000005
【図３Ａ】
2020187844.tif 000006
【図３Ｂ】
2020187844.tif 000007
【図４Ａ】
2020187844.tif 000008
【図４Ｂ】
2020187844.tif 000009
【図５】
2020187844.tif 000010
【図６】
2020187844.tif 000011
【図７】
2020187844.tif 000012
【図８】
2020187844.tif 000013
【図９】
2020187844.tif 000014
【図１０Ａ】
2020187844.tif 000015
【図１０Ｂ】
2020187844.tif 000016
【図１１Ａ】
2020187844.tif 000017
【図１１Ｂ】
2020187844.tif 000018
【図１２Ａ】
2020187844.tif 000019
【図１２Ｂ】
2020187844.tif 000020
【図１３】
2020187844.tif 000021
【図１４Ａ】
2020187844.tif 000022
【図１４Ｂ】
2020187844.tif 000023